(57)【要約】【課題】ヘルムホルツ式の共鳴吸音器としての作用効果を奏し得る複数の吸音空域を備えた車両用ホイールを提案する。【解決手段】リム空洞部２１と連通する複数の嵌合孔２２に区画弾性片３１を夫々装着することによって、該区画弾性片３１の嵌入隔壁部３２によりリム空洞部２１の内部空域２４を区画して、嵌合孔２２を封止する封止部３３の連通孔３７によりタイヤ内空域１０２と夫々連通する複数の吸音空域２５が形成される車両用ホイールである。各吸音空域２５とその連通孔３７とによってヘルムホルツ式の共鳴吸音器を構成し、その作用効果によりタイヤ内空域１０２で発生する空洞共鳴音を低減でき、車両走行中に生ずるロードノイズを低減できる。【選択図】図３
2011173479.tif 000002
【特許請求の範囲】
【請求項１】
車軸に固定されるディスク部と、タイヤが装着されて密閉状のタイヤ内空域を形成するリム部とを備えた車両用ホイールにおいて、
前記リム部は、その外周縁に沿って設けられた円環状のリム空洞部と、リム部の外表面で開口して前記タイヤ内空域と前記リム空洞部の内部空域とを連通する複数の嵌合孔とを備えるものであって、
前記リム空洞部内に挿入されて、該リム空洞部の内部空域をその周方向の前後で隔てる弾性変形可能な嵌入隔壁部と、
前記嵌入隔壁部により隔てられたリム空洞部の前後いずれか一方と前記タイヤ内空域とを連通する連通孔を備えた、前記嵌合孔を封止する封止部とを具備し、
前記各嵌合孔に夫々装着されることにより、リム空洞部の内部空域を周方向で区画して、各連通孔により前記タイヤ内空域と夫々連通する複数の吸音空域を形成する区画弾性片を備えていることを特徴とする車両用ホイール。
【請求項２】
区画弾性片は、
その封止部が、リム部の嵌合孔に内嵌する内嵌部と、嵌合孔よりも外側に突出して該嵌合孔の外側孔周縁に着座する被着突部とを備えると共に、
嵌入隔壁部が、封止部の内嵌部と連通する部位に、前記嵌合孔の内側孔周縁に着座する被着面部を備えていることを特徴とする請求項１に記載の車両用ホイール。
【請求項３】
リム部は、タイヤの表側ビードを支持する表側ビードシート部と、該表側ビードシート部と内方へ凹むウエル部とを連成するウエル壁部とが形成された円環状のアウターリム部を備えるものであって、
リム空洞部が、前記アウターリム部に周成され、かつ嵌合孔がウエル壁部に開口されていることを特徴とする請求項１又は請求項２に記載の車両用ホイール。
【発明の詳細な説明】
【技術分野】
【０００１】
本発明は、車両走行中に、タイヤとリム部とにより密閉されたタイヤ内空域で発生する気柱共鳴音（いわゆる空洞共鳴音）を低減し得る車両用ホイールに関するものである。
【背景技術】
【０００２】
自動車等の車両では、エンジンノイズ低減技術の進歩により、車両走行中に、路面から入力する振動に起因するロードノイズが顕在化してきている。このロードノイズの一因として、タイヤと車両用ホイールのリム部とにより密閉されたタイヤ内空域で発生する空洞共鳴音が指摘されている。この空洞共鳴音は、車両走行中に路面から入力した振動により、タイヤ内空域の周長を一波長とする定在波が発生し、この定在波が特定の周波数帯（１８０Ｈｚ〜２７０Ｈｚ）で気柱共鳴現象を起こすことにより生ずる。
【０００３】
上記した空洞共鳴音を低減する方法として、ヘルムホルツ式の共鳴吸音器を適用した構成が提案されている。例えば、特許文献１のように、車両用ホイールのリム部に、周方向に複数の副気室を形成し、該副気室とタイヤ内空域とを連通する孔部を設けた構成が提案されている。この構成は、副気室によりヘルムホルツ式の共鳴吸音器を構成したものであり、上記したタイヤ内空域で発生する空洞共鳴音を低減することが可能である。
【先行技術文献】
【特許文献】
【０００４】
【特許文献１】特開２００３−３２６９０４号公報
【発明の概要】
【発明が解決しようとする課題】
【０００５】
ところで、上記の特許文献１にあっては、鋳造の際にリム部の外周面に縦壁を周成し、該縦壁を外周面に沿うように折り曲げ加工して、同じ鋳造時に周方向で均等間隔をおいて前記外周面に形成した複数の側壁と溶接または接着することにより、折り曲げ加工後の縦壁と側壁とにより囲まれた副気室を複数形成することが開示されている。この副気室の成形方法では、縦壁の折り曲げ加工と共に、該縦壁と複数の側壁とを溶接または接着することを要する。しかし、縦壁を折り曲げると、外部から遮蔽された空域が形成されることから、該縦壁と複数の側壁とを隙間無く溶接または接着することは極めて難しい。そして、縦壁と側壁との間に隙間が生じた場合には、隣り合う副気室が直接連通してしまうことから、上記したヘルムホルツ式の共鳴吸音器としての作用効果が充分に発揮できず、所望の空洞共鳴音の低減効果が得られない。このように、上述した特許文献１は、ヘルムホルツ式の共鳴吸音器を構成する副気室を安定して形成することが難しく、現実的な車両用ホイールの生産工程に適用することが難しい。
【０００６】
本発明は、ヘルムホルツ式の共鳴吸音器としての作用効果を奏し得る複数の吸音空域を備えた車両用ホイールを提案するものである。
【課題を解決するための手段】
【０００７】
本発明は、車軸に固定されるディスク部と、タイヤが装着されて密閉状のタイヤ内空域を形成するリム部とを備えた車両用ホイールにおいて、前記リム部は、その外周縁に沿って設けられた円環状のリム空洞部と、リム部の外表面で開口して前記タイヤ内空域と前記リム空洞部の内部空域とを連通する複数の嵌合孔とを備えるものであって、前記リム空洞部内に挿入されて、該リム空洞部の内部空域をその周方向の前後で隔てる弾性変形可能な嵌入隔壁部と、前記嵌入隔壁部により隔てられたリム空洞部の前後いずれか一方と前記タイヤ内空域とを連通する連通孔を備えた、前記嵌合孔を封止する封止部とを具備し、前記各嵌合孔に夫々装着されることにより、リム空洞部の内部空域を周方向で区画して、各連通孔により前記タイヤ内空域と夫々連通する複数の吸音空域を形成する区画弾性片を備えていることを特徴とする車両用ホイールである。ここで、区画弾性片は、その封止部が嵌合孔を封止するように装着されることから、嵌入隔壁部を嵌合孔から挿入されるようにして取り付けられる構成や、嵌合孔と対向する部位に取付孔を設けて該取付孔から挿入されるようにして取り付けられる構成が好適である。後者の構成では、取付孔を埋めることを要する。また、複数の嵌合孔が、周方向に均等間隔をおいて設けられている構成が好適である。
【０００８】
かかる構成にあっては、各嵌合孔に装着された区画弾性片により、タイヤ内空域と連通孔を介して連通する吸音空域を形成し、該吸音空域と連通孔とによってヘルムホルツ式の共鳴吸音器を構成するものである。すなわち、区画弾性片は、リム空洞部を区画するための隔壁を形成し（嵌入隔壁部を有し）、かつ吸音空域とタイヤ内空域とを連通する連通孔を有するものである。さらに、区画弾性片は、その封止部により嵌合孔を封止することから、吸音空域は、区画弾性片の連通孔を介してのみタイヤ内空域と連通する。このように形成される吸音空域と連通孔とは、ヘルムホルツ式の共鳴吸音器として優れた作用効果を発揮することができ、タイヤ内空域で発生する空洞共鳴音を低減する効果が高い。
【０００９】
本構成の区画弾性片としては、弾性変形可能な材料により一体成形されてなるものが好適である。さらに、嵌入側壁部は、リム空洞部の断面形状よりも若干大きな相似または類似形状とした構成が好適であり、その弾性変形によって、リム空洞部の内周面に密着させる。そして、封止部にあっても、その弾性変形により嵌合孔を封止できる。これにより、リム空洞部を区画してなる吸音空域は、連通孔を除き、密閉状に形成されており、上述したヘルムホルツ式の共鳴吸音器としての作用効果が高く発揮され得る。また、例えば、嵌入側壁部を嵌合孔から挿入することによって区画弾性片を装着するようにした場合には、嵌入側壁部を弾性変形することによって該嵌合孔から挿入する。
【００１０】
尚、本構成にあっては、リム部にリム空洞部と嵌合孔とを形成した車両用ホイールを成形し、この嵌合孔に、別に成形した区画弾性片を装着することによって、比較的容易に得ることができる。すなわち、リム空洞部と嵌合孔とを形成した車両用ホイールを、従来の製造方法に従って成形し、さらに区画弾性片を装着することによって、本発明にかかる車両用ホイールを生産することができる。このように、本発明の車両用ホイールは、上述した作用効果を発揮するものとして、比較的容易かつ安定して生産することができるものである。
【００１１】
上述した車両用ホイールにあって、区画弾性片は、その封止部が、リム部の嵌合孔に内嵌する内嵌部と、嵌合孔よりも外側に突出して該嵌合孔の外側孔周縁に着座する被着突部とを備えると共に、嵌入隔壁部が、封止部の内嵌部と連通する部位に、前記嵌合孔の内側孔周縁に着座する被着面部を備えている構成が提案される。
【００１２】
かかる構成にあって、嵌合孔に装着された区画弾性片は、その封止部の内嵌部が嵌合孔に内嵌すると共に、封止部の被着突部と嵌入隔壁部の被着面部とが嵌合孔の孔周縁に内外から被着することから、連通孔を除き、嵌合孔を隙間無く封止することができる。そのため、吸音空域と連通孔とが、ヘルムホルツ式の共鳴吸音器として一層高い作用効果を発揮でき得る。さらに、封止部の被着突部と嵌入隔壁部の被着面部とによって嵌合孔に装着されることから、車両走行中にも外れたり位置ズレすることがなく、上述した本発明の作用効果を長期に亘って発揮することができる。
【００１３】
上述した車両用ホイールにあって、リム部は、タイヤの表側ビードを支持する表側ビードシート部と、該表側ビードシート部と内方へ凹むウエル部とを連成するウエル壁部とが形成された円環状のアウターリム部を備えるものであって、リム空洞部が、前記アウターリム部に周成され、かつ嵌合孔がウエル壁部に開口されている構成が提案される。
【００１４】
かかる構成にあっては、ヘルムホルツ式の共鳴吸音器を構成する連通孔がウエル部に面するように開口した構成である。ここで、タイヤ内空域では、その最も内側となるウエル部の直上空域で、空洞共鳴音の音圧が高くなる傾向がある。そのため、このウエル部に面して連通孔を開口することによって、ヘルムホルツ式の共鳴吸音器として空洞共鳴音を低減する効果が一層向上する。
【００１５】
尚、鋳造成形される車両用ホイールとしては、ディスク部と連成するアウターリム部が肉厚状に形成されることから、当該アウターリム部を減肉して軽量化することが求められている。本構成にあっては、このアウターリム部内に周方向に亘って内部空域を形成したものであるから、ホイール重量を軽量化することができる。
【発明の効果】
【００１６】
本発明の車両用ホイールは、上述したように、リム空洞部と連通する複数の嵌合孔に区画弾性片を夫々装着することによって、該区画弾性片の嵌入隔壁部によりリム空洞部の内部空域を区画して、嵌合孔を封止する封止部の連通孔によりタイヤ内空域と夫々連通する複数の吸音空域が形成されるものであるから、各吸音空域とその連通孔とによってヘルムホルツ式の共鳴吸音器を構成して、その作用効果によりタイヤ内空域で発生する空洞共鳴音を低減でき、車両走行中に生ずるロードノイズを低減できる。また、本構成は、リム空洞部と嵌合孔とを備えた車両用ホイールを成形し、別に成形した区画弾性片を装着することによって、比較的容易かつ安定して生産することができ得る。
【００１７】
上述した車両用ホイールにあって、区画弾性片の封止部が、嵌合孔に内嵌する内嵌部と該嵌合孔の外側孔周縁に着座する被着突部とを備え、嵌入隔壁部が、嵌合孔の内側孔周縁に着座する被着面部を備えた構成とした場合には、区画弾性片と嵌合孔との密着性が向上するため、吸音空域と連通孔とによりヘルムホルツ式の共鳴吸音器として発揮される作用効果が一層向上する。
【００１８】
上述した車両用ホイールにあって、リム部のアウターリム部にリム空洞部が周成され、かつ嵌合孔がウエル壁部に開口されている構成とした場合には、空洞共鳴音の音圧が高くなるウエル部の直上空域に向けて開口する連通孔によって、ヘルムホルツ式の共鳴吸音器として空洞共鳴音を低減する効果が一層向上する。
【図面の簡単な説明】
【００１９】
【図１】本発明にかかる車両用ホイール１の縦断面図である。
【図２】同上の車両用ホイール１の、図１に示すＰ−Ｐ断面図である。
【図３】図１のＸ部を示す拡大図である。
【図４】リム空洞部２１を形成する過程を示す説明図である。
【図５】（Ａ）区画弾性片３１の斜視図と、（Ｂ）該区画弾性片の平面図である。
【図６】別例の区画弾性片５１を示す、（Ａ）斜視図と、（Ｂ）平面図である。
【図７】別例の車両用ホイール６１に区画弾性片３１を装着する過程を示す説明図である。
【発明を実施するための形態】
【００２０】
本発明の実施例を、添付図面を用いて詳述する。
図１，２に、本発明にかかる車両用ホイール１を示す。この車両用ホイール１は、アルミニウム合金を鋳造成形してなるものであり、車軸が連結されるディスク部２と、タイヤが装着されるリム部３とを備えてなる。尚、本実施例にあって、ディスク部２の背面側から意匠面側へ向かう方向を表方とし、逆向きを裏方としている。また、車両用ホイール１の中心軸線Ｏと直交するホイール径方向に沿って、該中心軸線Ｏへ向かう方向を内方とし、逆向きを外方としている。
【００２１】
上記のディスク部２は、略円盤状のハブ取付部４と、該ハブ取付部４の外周縁から外方へ放射状に設けられた複数のスポーク部５とを備えている。ここで、ハブ取付部４には、その中央にハブ孔１７が設けられ、該ハブ孔１７の外側に周方向で互いに均等間隔となる位置に複数のボルト孔１８が設けられている。また、互いに隣り合うスポーク部５の間に飾り孔６が夫々に形成されている。
【００２２】
また、上記のリム部３は、その両端開口縁にタイヤ１００のビード１０１ａ，１０１ｂを側方から保持するフランジ部１０ａ、１０ｂが形成され、各フランジ部１０ａ、１０ｂに、タイヤのビードを着座させて支持固定するビートシート部１１ａ，１１ｂが夫々に連成されている。さらに、表裏両側のビードシート部１１ａ，１１ｂの間には、タイヤ装着時に、タイヤのビードを落とすためのウエル部１３が設けられている。そして、表側ビードシート部１１ａとウエル部１３とがウエル壁部１４を介して連成されている。ここで、表側ビードシート部１１ａとウエル壁部１４とは、上記したディスク部２の各スポーク部５と連成する円環状のアウターリム部９に設けられている。
【００２３】
尚、この車両用ホイール１にあっては、車両に装着された場合にホイール外観となるディスク部２の表面により、所謂意匠面が構成されている。そして、車両用ホイール１の上記した各部位はそれぞれ、中心軸線Ｏを中心とする同心状に形成されている。また、車両用ホイール１に所定のタイヤ１００を装着した状態で、リム部３と該タイヤ１００とにより密閉された環状のタイヤ内空域１０２が形成される。
【００２４】
次に本発明の要部について説明する。
図１，２のように、車両用ホイール１のリム部３には、そのアウターリム部９の内部に、断面略多角形状（本実施例では断面略三角形状）の内部空域２４が周成されており、該アウターリム部９によって本発明にかかるリム空洞部２１が構成されている。ここで、リム空洞部２１の内部空域２４は、径方向に沿った表側内周面２１ａと、表裏方向に沿った内側内周面２１ｂと、傾斜内周面２１ｃとにより囲繞された空域である（図３参照）。そして、アウターリム部９のウエル壁部１４に、周方向で均等間隔をおいて三個の嵌合孔２２が開口形成されており、各嵌合孔２２により、前記リム空洞部２１の内部空域２４を当該リム部３の外部に連通させている。尚、嵌合孔２２は、円形状に形成されており、その内径が、リム空洞部２１の内側内周面２１ｂの径方向幅に比して小さくなっている（図３参照）。
【００２５】
このような車両用ホイール１の製造方法としては、鋳造により、リム部４３のウエル部１３の裏端部位から外方へ起立する環状壁部４５を形成した構成のホイール予備形状品４１を成形する。尚ここで、図４（Ａ）は、鋳造後に切削加工により、このホイール予備形状品４１を、所望の寸法形状に成形すると共に、表側フランジ部１０ａの外側基部位に段差状の接合周部４６を周成した状態を示している。そして、図４（Ｂ）のように、前記した環状壁部４５を表方へ折り曲げる加工を行う。これにより、環状壁部４５の先端部４５ａを前記した接合周部４６に着座させ、この前記先端部４５ａと接合周部４６とを周方向に亘って溶接し、さらにその外表面を切削加工して形状を整えることにより、リム空洞部２１を構成するアウターリム部９を成形する（図１，３参照）。その後、該アウターリム部９のウエル壁部１４に、周方向で均等間隔をおいて三つの嵌合孔２２を穿設する加工を行う。
【００２６】
一方、このように成形した車両用ホイール１には、上記したアウターリム部９の各嵌合孔２２に区画弾性片３１を装着する。この区画弾性片３１は、プラスチックやゴムなどの弾性変形可能な材料により一体的に成形されている。この区画弾性片３１としては、図３のように、嵌合孔２２からリム空洞部２１内に押し込まれて内部空域２４をその前後で隔てる嵌入隔壁部３２と、嵌合孔２２を封止する封止部３３とから構成されている。ここで、封止部３３は、図５のように、嵌合孔２２に内嵌する円柱状の内嵌部３５と、該内嵌部３５に比して径大な略半球状の被着突部３６とからなる。この内嵌部３５は、その幅（高さ）を嵌合孔２２の幅（深さ）と同じ寸法とし、かつその外形寸法を嵌合孔２２の内径より僅かに大きく設定して、外周面が嵌合孔２２の内周面に密接するようにしている。
【００２７】
上記嵌入隔壁部３２は、略多角柱状（本実施例では略三角柱状）のブロック体をなし、その略多角形の断面形状がリム空洞部２１の断面形状と相似するように形成されている。この嵌入隔壁部３２は、その略多角形の断面積がリム空洞部２１の断面積に比して僅かに大きくなるように形成されており、リム空洞部２１に挿入された状態で該リム空洞部２１の内周面と密接するようにしている。詳述すれば、嵌入隔壁部３２は、略多角形状（略三角形状）の区画面３２ａ，３２ｂと、リム空洞部２１の表側内周面２１ａに密接する表側被着面３２ｃと、内側内周面２１ｂに密接する内側被着面３２ｄと、傾斜内周面２１ｃに密接する傾斜被着面３２ｅとを備えている。ここで、表側被着面３２ｃ、内側被着面３２ｄ、傾斜被着面３２ｅは、それぞれ略四角形状を成す。
【００２８】
そして、この嵌入隔壁部３２の内側被着面３２ｄから上記した封止部３３の内嵌部３５が突成されている。この内側被着面３２ｄは、その外形寸法が内嵌部３５の外径に比して大きく、上記嵌合孔２２の内側孔周縁に被着する。すなわち、この内側被着面３２ｄを備えた内側部位により、本発明にかかる被着面部３４が構成されている。
【００２９】
さらに、上記した封止部３３は、その被着突部３６に開口する連通孔３７を備えている。この連通孔３７は、上記した嵌入隔壁部３２内へ延成されて、その一方の区画面３２ａに開口している。すなわち、連通孔３７は、封止部３３の被着突部３６の開口部３７ａと嵌入隔壁部３２の区画面３２ａの開口部３７ｂとを連通している。
【００３０】
このような区画弾性片３１は、その嵌入隔壁部３２を弾性変形させて上記アウターリム部９の嵌合孔２２からリム空洞部２１の内部空域２４に押し込むことによって、該嵌合孔２２に装着される。ここで、区画弾性片３１は、その嵌入隔壁部３２の断面形状が内部空域２４の断面形状と揃う向きに調整して、嵌合孔２２に装着する。尚、嵌合孔２２に押し込む際には、石鹸水等に濡らすことによって、該押し込み作業を容易に行い得るようにすることが好適である。
【００３１】
区画弾性片３１が嵌合孔２２に装着されると、図３のように、嵌入隔壁部３２は、その表側被着面３２ｃ、内側被着面３２ｄ、傾斜被着面３２ｅがそれぞれリム空洞部２１の内周面と密接し、該リム空洞部２１の内部空域２４をその前後に隔てる。封止部３３の内嵌部３５が嵌合孔２２に内嵌すると共に、該嵌合孔２２の内外の孔周縁に封止部３３の被着突部３６と嵌入隔壁部３２の内側被着面３２ｄ（被着面部３４）が被着する。これにより、嵌合孔２２の孔周端を隙間無く閉鎖することができる。そのため、リム空洞部２１の内部空域２４は、区画弾性片３１の連通孔３７のみによって外部と連通した状態となる。そして、連通孔３７により、当該区画弾性片３１の嵌入隔壁部３２によって隔てた内部空域２４の一側（区画片３２ａが向いた片側）が外部と連通する。
【００３２】
そして、同様に、周方向に均等間隔をおいて形成された各嵌合孔２２に、上記した区画弾性片３１を夫々に装着する。これにより、各区画弾性片３１の嵌入隔壁部３２によって、リム空洞部２１の内部空域２４が均等間隔で区画される（図２参照）。そして、このリム空洞部２１の内部空域２４を区画弾性片３１によって三分割された各空域が、本発明にかかる吸音空域２５である。各吸音空域２５は、その一側の隔壁を構成する区画弾性片３１の連通孔３７により、外部と連通している。すなわち、各吸音空域２５は、夫々に一つの連通孔３７を有する構成となっている。尚、吸音空域２５は、区画弾性片３１の嵌入隔壁部３２によって隣り合う他の吸音空域２５と隔てられており、さらに、封止部３３によって嵌合孔２２を封止していることから、連通孔３７のみで外部と連通している。
【００３３】
このように各嵌合孔２２に区画弾性片３１を装着した車両用ホイール１に、タイヤ１００を装着すると、上記の各吸音空域２５はその連通孔３７を介してタイヤ内空域１０２と連通する（図１，３参照）。これにより、夫々の吸音空域２５と連通孔３７とは、タイヤ内空域１０２を伝播する音波に対して、所謂ヘルムホルツ式の共鳴吸音器として作用する。すなわち、タイヤ内空域１０２を伝わる音波が、吸音空域２５と連通する連通孔３７に出入り（伝搬）することによって、該連通孔３７内の空気が振動し、この振動エネルギーが熱エネルギーに変換される。これにより、タイヤ内空域１０２を伝播する音波の振動が低減するため、該タイヤ内空域１０２内で生ずる空洞共鳴音を低減することができる。このように、吸音空域２５と連通孔３７とによって、ヘルムホルツ式の共鳴吸音器が構成されている。
【００３４】
ここで、本実施例にあっては、吸音空域２５と連通する連通孔３７を周方向に均等間隔で設け、且つ各吸音空域２５を同じ容積としていることから、タイヤ内空域１０２を伝播する空洞共鳴音を効果的に低減することができ、ヘルムホルツ式の共鳴吸音器としての作用効果を高く発揮できる。
【００３５】
尚、上記した区画弾性片３１は、その連通孔３７の断面積（開口径）および長さを、タイヤ内空域１０２を伝播する空洞共鳴音の周波数を低減するように、該周波数に応じて設定する。具体的には、タイヤ内空域１０２で気柱共鳴現象を起こす特定の周波数帯（１８０Ｈｚ〜２７０Ｈｚ）に対して、吸音空域２５が上記したヘルムホルツ式の共鳴吸音器としての作用効果を発揮するように、前記した連通孔３７の形状（断面積や長さ）を設定する。これにより、当該車両用ホイール１を取り付けた車両を走行した場合に、タイヤ１００が路面から受ける振動によって生ずる気柱共鳴現象を低減することができるため、この気柱共鳴現象によるロードノイズを効率的に低減することができ得る。
【００３６】
また、本実施例の車両用ホイール１は、上述したように、鋳造成形後にリム部３に設けた環状壁部４５を折り曲げ加工して溶接することにより、リム空洞部２１を備えた構成として製造し、さらに、別に成形した区画弾性片３１を各嵌合孔２２に装着することによって得ることができる。このように本実施例の車両用ホイール１は、従来の製造方法を適用して比較的容易かつ安定して生産することができ、上述したロードノイズの低減効果を安定して発揮できるものである。
【００３７】
一方、上記した実施例の別例として、図６の区画弾性片５１を用いた構成について説明する。尚、区画弾性片５１以外は、上述した実施例と同じ構成であり、同じ構成要素には同じ記号を記し、その説明を省略している。
【００３８】
この別例の区画弾性片５１は、封止部３３と略Ｌ字形の嵌入隔壁部５２とを備えた構成である。ここで、封止部３３は、上記した実施例と同じ構成である。そして、嵌入隔壁部５２は、矩形板状の被着面部５４と、略多角形板状（例えば、略三角形状）の隔壁部５６とから構成されており、被着面部５４の一辺縁から隔壁部５６が略直交状に延成されている。そして、連通孔５７が封止部３３を介して被着面部５４の中央部分を貫通するように略一直線状に形成されている。この連通孔５７は、隔壁部５６の一方の区画面５６ａ側に開口しており、封止部３３の開口部５７ａと嵌入隔壁部５２の開口部５７ｂとを連通している。前記の隔壁部５６は、肉厚状に形成されており、その略多角形状（略三角形状）の区画面５６ａ，５６ｂと、表側板端面５６ｃと、傾斜板端面５６ｄとを備え、該表側板端面５６ｃがリム空洞部２１の表側内周面２１ａに密接し、傾斜板端面５６ｄが傾斜内周面２１ｃに密接する。また、被着面部５４がリム空洞部２１の内側内周面２１ｂに密接する。これにより、嵌入隔壁部５２がリム空洞部２１の内部空域２４をその前後で隔てる。この別例の区画弾性片５１にあっても、上述した実施例と同様に、嵌入隔壁部５２を弾性変形させて各嵌合孔２２から押し入れられることより、該嵌入隔壁部５２によってリム空洞部２１を吸音空域（図示省略）に区画する。この場合にも、夫々の吸音空域と連通孔５７とによって、ヘルムホルツ式の共鳴吸音器としての作用効果を奏することから、上述した実施例と同様に、タイヤ内空域１０２で発生する空洞共鳴音を低減することができ得る。
【００３９】
さらに、図７に示す別例の車両用ホイール６１について説明する。この車両用ホイール６１は、その製造工程で、リム部６３のアウターリム部６９に、ウエル壁部６４から意匠面側まで貫通するように嵌合孔７２と取付孔７５とが穿設される。このように一対の嵌合孔７２と取付孔７５とは、周方向で均等間隔をおいて複数形成される。一対の嵌合孔７２と取付孔７５とは、表裏方向でリム空洞部２１の内部空域２４を介して連通していることから、上記した実施例の区画弾性片３１を嵌合孔７２に装着する際には、該区画弾性片３１の嵌入隔壁部３２を取付孔７５側から引張ることにより、該嵌入隔壁部３２をリム空洞部２１の内部空域２４に挿入する。その後、取付孔７５を、溶接金属７６などにより埋める。このように各嵌合孔７２に区画弾性片３１を装着することによって、上述した実施例と同様に、複数の吸音空域を形成できるため、ヘルムホルツ式の共鳴吸音器としての作用効果を発揮できる。尚、区画弾性片３１を嵌合孔７２に装着する際には、該区画弾性片３１を取付孔７５から押し入れたり又は取付孔７５を通して嵌合孔７２側から引張ったりすることにより、該嵌入隔壁部３２をリム空洞部２１の内部空域２４に挿入するようにしても良い。
【００４０】
尚、上記の別例にあって、区画弾性片３１の嵌入隔壁部３２をリム空洞部２１の内部空域２４に挿入した後に、取付孔７５に所定のボルト（図示せず）やリベット（図示せず）等を装着することによって当該取付孔７５を埋めることもできる。
【００４１】
このように嵌合孔７２と対向する取付孔７５を穿設して、該取付孔７５側から区画弾性片３１の嵌入隔壁部３２を引張ることにより該区画弾性片３１を装着するようにして製造される構成にあっては、嵌入隔壁部３２を比較的容易にリム空洞部２１の内部空域２４に挿入できる。さらに、嵌入隔壁部３２が適切にリム空洞部２１の内部空域２４を前後に隔てた状態に配置されるかを視認することができ、その位置調整も適宜行うことができる。
【００４２】
また、上述した実施例にあっては、嵌合孔を周方向で三箇所に設けて各嵌合孔に区画弾性片３１を装着することにより、リム空洞部の内部空域を三分割して吸音空域を形成する構成であるが、その他の構成として、例えば、嵌合孔を周方向で四箇所設けてリム空洞部の内部空域を四分割し、四つの吸音空域を形成する構成としても良い。さらに、前記内部空域を五分割や六分割するなどしてもよく、適宜設定することが可能である。
【００４３】
本発明にあっては、上述した実施例に限定されるものではなく、その他の構成についても、本発明の趣旨の範囲内で適宜変更可能である。例えば、リム空洞部をリム部の裏側部分に設けた構成とすることもできる。
【符号の説明】
【００４４】
１，６１  車両用ホイール
２  ディスク部
３，６３  リム部
９，６９  アウターリム部
１１ａ  表側ビードシート部
１３  ウエル部
１４，６４  ウエル壁部
２１  リム空洞部
２２，７２  嵌合孔
２４  内部空域
２５  吸音空域
３１，５１  区画弾性片
３２，５２  嵌入隔壁部
３３  封止部
３４，５４  被着面部
３５  内嵌部
３６  被着突部
３７，５７  連通孔
１００  タイヤ
１０１ａ，１０１ｂ  ビード
１０２  タイヤ内空域
【図１】
2011173479.tif 000003
【図２】
2011173479.tif 000004
【図３】
2011173479.tif 000005
【図４】
2011173479.tif 000006
【図５】
2011173479.tif 000007
【図６】
2011173479.tif 000008
【図７】
2011173479.tif 000009